(57)【要約】【課題】本発明は異なる種別の流体を供給する際のプリセット操作を簡略化することを課題とする。【解決手段】液体供給装置１０は、軽油（第１の流体）を供給する第１の液体供給系統２０Ａと、尿素水（第２の流体）を供給する第２の液体供給系統２０Ｂとを有する。制御装置３４は、入力装置４０ａにより供給すべき液種として軽油と尿素水が入力された場合、軽油の供給量(第１のプリセット値)に対応する尿素水（第２の流体）の予定供給量（第２のプリセット値）をメモリ３９に記憶された割合に基づいて演算し、この演算値を尿素水のプリセット値として設定する。そして、制御装置３４は、軽油（第１の流体）の供給量が第１のプリセット値に達した場合には第１の流体供給系統２０Ａによる第1の流体の供給を停止させると共に、尿素水（第２の流体）の供給量２０Ｂが第２のプリセット値に達した場合には第２の流体供給系統２０Ｂによる第２の流体の供給を停止させる。【選択図】図１
2008081163.tif 000002
【特許請求の範囲】
【請求項１】
第１の流体を供給する第１の流体供給系統と、
前記第１の流体と異なる種類の第２の流体を供給する第２の流体供給系統と、
前記第１の流体供給系統により供給される前記第１の流体の予定供給量を第１のプリセット値として設定する第１のプリセット値設定手段と、
前記第１の流体の予定供給量に対する前記第２の流体の予定供給量の割合を記憶する記憶手段と、
前記第１のプリセット値設定手段により設定された第１のプリセット値に対応する前記第２の流体の予定供給量を前記記憶手段に記憶された割合に基づいて演算し、当該第２の流体の予定供給量を第２の流体のプリセット値として設定する第２のプリセット値設定手段と、
前記第１の流体の供給量が第１のプリセット値に達した場合には前記第１の流体供給系統による第1の流体の供給を停止させると共に、前記第２の流体の供給量が第２のプリセット値に達した場合には前記第２の流体供給系統による前記第２の流体の供給を停止させる制御手段と、
を備えたことを特徴とする流体供給装置。
【請求項２】
第１の流体を供給する第１の流体供給系統と、
前記第１の流体と異なる種類の第２の流体を供給する第２の流体供給系統と、
前記第１の流体の購入金額と前記第２の流体の購入金額の合計金額を予定購入金額として設定する予定購入金額設定手段と、
前記第１の流体の予定供給量に対する前記第２の流体の予定供給量の割合を記憶する記憶手段と、
前記予定購入金額設定手段により設定された予定購入金額に対応する前記第１の流体の予定供給量及び前記第２の流体の予定供給量を前記記憶手段に記憶された割合に基づいて演算し、当該第１の流体の予定供給量及び当該第２の流体の予定供給量を第１の流体のプリセット値及び第２の流体のプリセット値として設定するプリセット値設定手段と、
前記第１の流体の供給量が第１のプリセット値に達した場合には前記第１の流体供給系統による第１の流体の供給を停止させると共に、前記第２の流体の供給量が第２のプリセット値に達した場合には前記第２の流体供給系統による第２の流体の供給を停止させる制御手段と、
を備えたことを特徴とする流体供給装置。
【請求項３】
第１の流体を供給する第１の流体供給系統と、
前記第１の流体と異なる種類の第２の流体を供給する第２の流体供給系統と、
前記第１の流体の予定供給量に対する前記第２の流体の予定供給量の割合を記憶する記憶手段と、
前記第１の流体供給系統により供給された第１の流体の供給量に対応する前記第２の流体の予定供給量を前記記憶手段に記憶された割合に基づいて演算し、当該第２の流体の予定供給量を第２の流体のプリセット値として設定するプリセット値設定手段と、
前記第２の流体供給系統による第２の流体の供給量が前記第２の流体のプリセット値に達した場合には前記第２の流体供給系統による第２の流体の供給を停止させる制御手段と、
を備えたことを特徴とする流体供給装置。
【発明の詳細な説明】
【技術分野】
【０００１】
本発明は流体供給装置に係り、特に２種類の流体を夫々所定の割合で供給するよう構成された流体供給装置に関する。
【背景技術】
【０００２】
例えば、車両の燃料タンクにガソリン等の燃料（流体）を供給する燃料供給装置では、予定供給量をプリセット値として設定することで任意の供給量（プリセット値として設定した供給量）が燃料タンクに供給されるように構成されている（例えば、特許文献１参照）。
【０００３】
また、軽油（流体）を貯留する燃料タンクの他に排気ガスを浄化するために使用される尿素水（流体）のタンクを備えた車両のように、複数の種類の液体（流体）を貯留するタンクを有する車両が近年増加傾向にある。このような二種類の液体のタンクを搭載した車両が給油のため給油所に到着すると、二種類の液体のタンクの夫々に供給すべき液種毎の予定供給量を個別にプリセットして液体の供給を行うことになる。
【特許文献１】特開平３−１３３７９４号公報
【発明の開示】
【発明が解決しようとする課題】
【０００４】
複数のタンクに対して各流体を供給する場合には、上記特許文献１に記載された従来技術においては、各流体の種類毎にプリセット値を入力して設定する必要があるため、設定操作が煩雑となって面倒であるという問題があった。さらに、従来の装置では、一の液体と他の液体との予定供給量が大きく異なる場合には、一の液体の予定供給量を他の液体の予定供給量と間違えてプリセットしてしまう恐れがある。より具体的には、軽油を貯留する燃料タンクの他に排気ガスを浄化するために使用される尿素水（流体）のタンクを備えた車両の場合には、軽油の消費量に比べて尿素水の消費量は極めて少なく、このような車両に軽油の予定供給量と尿素水の予定供給量とを誤ってプリセットしてしまうと、一方の軽油の予定供給量が大幅に少なくなり、他方の尿素水の予定供給量が大幅に増大してしまい、操作者は、供給量が不足した軽油を再度供給する操作を行うことになり、余計な手間を要することになる。
【０００５】
そこで、本発明は上記事情に鑑み、課題を解決した流体供給装置を提供することを目的とする。
【課題を解決するための手段】
【０００６】
上記課題を解決するため、本発明は以下のような手段を有する。
【０００７】
本発明は、第１の流体を供給する第１の流体供給系統と、前記第１の流体と異なる種類の第２の流体を供給する第２の流体供給系統と、前記第１の流体供給系統により供給される前記第１の流体の予定供給量を第１のプリセット値として設定する第１のプリセット値設定手段と、前記第１の流体の予定供給量に対する前記第２の流体の予定供給量の割合を記憶する記憶手段と、前記第１のプリセット値設定手段により設定された第１のプリセット値に対応する前記第２の流体の予定供給量を前記記憶手段に記憶された割合に基づいて演算し、当該第２の流体の予定供給量を第２の流体のプリセット値として設定する第２のプリセット値設定手段と、前記第１の流体の供給量が第１のプリセット値に達した場合には前記第１の流体供給系統による第1の流体の供給を停止させると共に、前記第２の流体の供給量が第２のプリセット値に達した場合には前記第２の流体供給系統による前記第２の流体の供給を停止させる制御手段と、を備えることにより、上記課題を解決するものである。
【０００８】
また、本発明は、第１の流体を供給する第１の流体供給系統と、前記第１の流体と異なる種類の第２の流体を供給する第２の流体供給系統と、前記第１の流体の購入金額と前記第２の流体の購入金額の合計金額を予定購入金額として設定する予定購入金額設定手段と、前記第１の流体の予定供給量に対する前記第２の流体の予定供給量の割合を記憶する記憶手段と、前記予定購入金額設定手段により設定された予定購入金額に対応する前記第１の流体の予定供給量及び前記第２の流体の予定供給量を前記記憶手段に記憶された割合に基づいて演算し、当該第１の流体の予定供給量及び当該第２の流体の予定供給量を第１の流体のプリセット値及び第２の流体のプリセット値として設定するプリセット値設定手段と、前記第１の流体の供給量が第１のプリセット値に達した場合には前記第１の流体供給系統による第１の流体の供給を停止させると共に、前記第２の流体の供給量が第２のプリセット値に達した場合には前記第２の流体供給系統による第２の流体の供給を停止させる制御手段と、を備えることにより、上記課題を解決するものである。
【０００９】
また、本発明は、第１の流体を供給する第１の流体供給系統と、前記第１の流体と異なる種類の第２の流体を供給する第２の流体供給系統と、前記第１の流体の予定供給量に対する前記第２の流体の予定供給量の割合を記憶する記憶手段と、前記第１の流体供給系統により供給された第１の流体の供給量に対応する前記第２の流体の予定供給量を前記記憶手段に記憶された割合に基づいて演算し、当該第２の流体の予定供給量を第２の流体のプリセット値として設定するプリセット値設定手段と、前記第２の流体供給系統による第２の流体の供給量が前記第２の流体のプリセット値に達した場合には前記第２の流体供給系統による第２の流体の供給を停止させる制御手段と、を備えることにより、上記課題を解決するものである。
【発明の効果】
【００１０】
本発明によれば、第１のプリセット値設定手段により設定された第１のプリセット値に対応する第２の流体の予定供給量を記憶手段に記憶された割合に基づいて演算し、当該第２の流体の予定供給量を第２の流体のプリセット値として設定し、第１の流体の供給量が第１のプリセット値に達した場合には第１の流体供給系統による第1の流体の供給を停止させると共に、第２の流体の供給量が第２のプリセット値に達した場合には第２の流体供給系統による第２の流体の供給を停止させるため、第１の流体のプリセット値を設定することにより、第１のプリセット値に対応する第２の流体の予定供給量が演算されて設定され、操作者のプリセット操作回数が半分に削減できると共に、プリセット値の入力ミスを減らしてプリセット値の誤入力による供給量の修正操作を削減できる。
【００１１】
また、本発明によれば、予定購入金額に対応する第１の流体の予定供給量及び第２の流体の予定供給量を記憶手段に記憶された割合に基づいて演算し、当該第１の流体の予定供給量及び当該第２の流体の予定供給量を第１の流体のプリセット値及び第２の流体のプリセット値として設定し、第１の流体の供給量が第１のプリセット値に達した場合には第１の流体供給系統による第１の流体の供給を停止させると共に、第２の流体の供給量が第２のプリセット値に達した場合には第２の流体供給系統による第２の流体の供給を停止させるため、第１の流体のプリセット値を設定することにより、第１のプリセット値に対応する第２の流体の予定供給量が演算されて設定され、操作者のプリセット操作回数が半分に削減できると共に、プリセット値の入力ミスを減らしてプリセット値の誤入力による供給量の修正操作を削減できる。
【００１２】
また、本発明によれば、第１の流体供給系統により供給された第１の流体の供給量に対応する第２の流体の予定供給量を記憶手段に記憶された割合に基づいて演算し、当該第２の流体の予定供給量を第２の流体のプリセット値として設定し、第２の流体供給系統による第２の流体の供給量が第２の流体のプリセット値に達した場合には第２の流体供給系統による第２の流体の供給を停止させるため、第１の流体のプリセット値を設定することにより、第１のプリセット値に対応する第２の流体の予定供給量が演算されて設定され、操作者のプリセット操作回数が半分に削減できると共に、プリセット値の入力ミスを減らしてプリセット値の誤入力による供給量の修正操作を削減できる。
【発明を実施するための最良の形態】
【００１３】
以下、図面を参照して本発明を実施するための最良の形態について説明する。
【実施例１】
【００１４】
図１は本発明による流体供給装置の一実施例を示す構成図である。図１に示されるように、液体供給装置１０は、軽油（第１の流体）を供給する第１の液体供給系統２０Ａと、尿素水（第２の流体）を供給する第２の液体供給系統２０Ｂとを有する。
【００１５】
第１の液体供給系統２０Ａは、軽油以外の油液（例えば、ガソリン等の液体燃料）を供給できるように複数の液体供給系統を有するが、ここでは、説明の便宜上、軽油用の液体供給系統のみについて説明する。
【００１６】
第１の液体供給系統２０Ａは、軽油が貯留された地下タンク（図示せず）に挿通された給液管路２２Ａにポンプ２４Ａ、流量計２６Ａ、電磁弁２８Ａが配設されている。また、給液管路２２Ａの下流側には、給液ホース３０Ａ、供給ノズル３２Ａが接続されている。そして、ポンプ２４Ａのモータ２５Ａ、流量計２６Ａ、電磁弁２８Ａは、制御部３４Ａにより制御されるように信号線（図１中、破線で示す）を介して制御部３４Ａと接続されている。
【００１７】
また、制御部３４Ａには、流量表示器３６Ａ、ノズル掛け３７Ａのノズルスイッチ３８Ａ、メモリ３９が接続されている。上記第１の液体供給系統２０Ａは、給液管路２２Ａ、ポンプ２４Ａ、流量計２６Ａ、電磁弁２８Ａ、給液ホース３０Ａ、供給ノズル３２Ａによって構成されている。
【００１８】
さらに、制御部３４Ａは、通信線（図１中、破線で示す）を介して第２の液体供給系統２０Ｂの制御部３４Ｂ及び３４Ｃ、メモリ３９と通信可能に接続されている。また、第２の液体供給系統２０Ｂは、上記第１の液体供給系統２０Ａの構成と略同じであり、給液管路２２Ｂ、ポンプ２４Ｂ、流量計２６Ｂ、電磁弁２８Ｂ、給液ホース３０Ｂ、供給ノズル３２Ｂによって構成されている。制御部３４Ｂは、ポンプ２４Ｂのモータ２５Ｂ、流量表示器３６Ｂ、ノズル掛け３７Ｂのノズルスイッチ３８Ｂ、メモリ３９と接続されている。
【００１９】
また、燃料供給装置１０には、上記制御部３４Ａ，３４Ｂと、制御部３４Ａ，３４Ｂを統括する統括制御部３４Ｃとを有する制御装置３４が搭載されており、この制御装置３４には、供給すべき液体を設定するための設定器４０が接続されている。設定器４０は、供給すべき液体の種別や予定供給量（または購入金額）を入力する入力装置４０ａと、購入金額を支払うための入出金機４０ｂが設けられている。
【００２０】
メモリ３９は、上記各制御部３４Ａ〜３４Ｃが実行する制御プログラム及び軽油の予定供給量に対する尿素水の予定供給量の割合（例えば、予め決められた混合比）が格納されている。
【００２１】
制御装置３４は、入力装置４０ａにより供給すべき液種として軽油と尿素水が入力された場合、軽油の供給量(第１のプリセット値)に対応する尿素水（第２の流体）の予定供給量をメモリ（記憶手段）３９に記憶された割合に基づいて演算し、この演算値を尿素水のプリセット値として設定する制御プログラムを実行する。
【００２２】
また、軽油及び尿素水を供給する場合、操作者は、入力装置４０ａの入力操作により供給すべき液体が２種類あることを入力（設定）し、且つ軽油の予定供給量を入力することで、制御装置３４の演算処理により、尿素水の予定供給量が自動的にプリセット値として設定される。そのため、操作者による設定操作が簡略化されて操作の負担が軽減されると共に、例えば、尿素水の予定供給量を軽油のものと間違えて設定するといった操作ミスの発生を防止することができる。
【００２３】
図２は軽油用タンクと尿素水用タンクが搭載された自動車の構成例を示す側面図である。図２に示されるように、自動車４１は軽油を燃料とするエンジン（図示せず）が搭載されており、車体側面には軽油用タンク４２と尿素水用タンク４４とが並設されている。自動車４１における尿素水の消費量は軽油の消費量よりも少ないので、尿素水用タンク４４は、軽油用タンク４２の容量に比べて小さいものが採用されている。
【００２４】
本実施例では、軽油用タンク４２の供給口４２ａからキャップ４２ｂを外して軽油用の供給ノズル３２Ａを供給口４２ａに挿入してノズルレバー（図示せず）を開弁方向に操作することで軽油の供給が開始される。続いて、軽油を供給しているときに、尿素水用タンク４４の供給口４４ａからキャップ４４ｂを外して尿素水用の供給ノズル３２Ｂを供給口４４ａに挿入してノズルレバー（図示せず）を開弁方向に操作することで尿素水の供給が開始される。その際、尿素水の供給開始は、軽油を供給中であることが条件となる。
【００２５】
ここで、制御装置３４が実行する制御処理について図３のフローチャートを参照して説明する。図３に示されるように、制御装置３４は、Ｓ１１で前回の処理で設定された種別や予定供給量などの各種変数をクリアする。次のＳ１２では、軽油(液種１)と尿素水(液種２)との供給比率（割合）ａをメモリ３９から読み込んでセットする。
【００２６】
続いて、Ｓ１３に進み、軽油の予定供給量（指定量Ｘ）が入力装置４０ａにより入力されたか否かをチェックする。このＳ１３において、軽油の予定供給量Ｘが入力された場合には（Ｓ１３でＹＥＳの場合）、Ｓ１４に進み、予定供給量Ｘを軽油のプリセット値として設定すると共に、入力された軽油の予定供給量Ｘに対応する尿素水の予定供給量Ｙを予め決められた供給比率（割合）ａに基づいて演算する（請求項１の第１のプリセット値設定手段）。例えば、供給比率（割合）ａ＝５、予定供給量Ｘ＝２０Ｌであれば、Ｙ＝２０÷５＝４Ｌとなる。
【００２７】
次のＳ１５では、第１の液体供給系統２０Ａに対する供給量目標値Ｗ１に上記Ｘをセットし、第２の液体供給系統２０Ｂに対する供給量目標値Ｗ２に上記Ｙをセットする（請求項１の第２のプリセット値設定手段）。これにより、液体供給系統２０Ａ，２０Ｂの制御部３４Ａ，３４Ｂは、ポンプ２４Ａ，２４Ｂを起動させると共に電磁弁２８Ａ，２８Ｂを開弁して夫々供給量目標値Ｗ１，Ｗ２をプリセット値として液体供給系統２０Ａ，２０Ｂのプリセット制御を開始する（Ｓ１６）。そのため、操作者が供給ノズル３２Ａ，３２Ｂを軽油用タンク４２の供給口４２ａ、尿素水用タンク４４の供給口４４ａに挿入して夫々のノズルレバーを開弁操作すると、ポンプ２４Ａ，２４Ｂにより送液された軽油、尿素水が軽油用タンク４２、尿素水用タンク４４の夫々に供給される。
【００２８】
Ｓ１７では、軽油の供給量が供給量目標値Ｗ１(予定供給量Ｘ)に達したか否かをチェックする。Ｓ１７において、軽油の供給量が供給量目標値Ｗ１(予定供給量Ｘ)に達しないときは（Ｓ１７でＮＯの場合）、Ｓ１９に進み、尿素水の供給量が供給量目標値Ｗ２(予定供給量Ｙ)に達したか否かをチェックする。また、Ｓ１７において、軽油の供給量が供給量目標値Ｗ１(予定供給量Ｘ)に達したときは（Ｓ１７でＹＥＳの場合）、Ｓ１８に進み、電磁弁２８Ａを閉弁し、またはポンプ２４Ａを停止させて第１の液体供給系統２０Ａによる供給を停止する。
【００２９】
上記Ｓ１９において、尿素水の供給量が供給量目標値Ｗ２(予定供給量Ｙ)に達しないときは（Ｓ１９でＮＯの場合）、Ｓ２１に進み、軽油及び尿素水の供給が停止したか否かをチェックする。また、上記Ｓ１９において、尿素水の供給量が供給量目標値Ｗ２(予定供給量Ｙ)に達したときは（Ｓ１９でＹＥＳの場合）、Ｓ２０に進み、電磁弁２８Ｂを閉弁し、またはポンプ２４Ｂを停止させて第２の液体供給系統２０Ｂによる供給を停止する。
【００３０】
上記Ｓ２１において、軽油及び尿素水の供給が停止しないときは（Ｓ２１でＮＯの場合）、上記Ｓ１７に戻り、Ｓ１７〜Ｓ２１の処理を繰り返す。そして、Ｓ２１において、軽油の供給量が供給量目標値Ｗ１(予定供給量Ｘ)に達し、且つ尿素水の供給量が供給量目標値Ｗ２(予定供給量Ｙ)に達したときは（Ｓ２１でＹＥＳの場合）、今回の制御処理を終了する。
【００３１】
このように、本実施例では、軽油の予定供給量を入力することにより、尿素水の予定供給量を所定の割合で演算して自動的にプリセットするため、操作者が各プリセット値を個別に入力操作する必要がなく、その分操作の手間が簡略化されると共に、操作ミスによる誤入力を防止することが可能になる。
【００３２】
尚、本実施例では、上記図３の制御処理を制御装置３４が実行するものとして説明したが、これに限らず、例えば、制御部３４Ａ，３４Ｂ及び統括制御部３４Ｃが夫々制御を分担して実行するようにしても良い。その場合、制御部３４Ａ，３４Ｂは、夫々個別にポンプ２４Ａ，２４Ｂ及び電磁弁２８Ａ，２８Ｂを制御する。
【００３３】
次に制御装置３４が実行する制御処理の変形例１（制御処理２）を図４乃至図６のフローチャートを参照して説明する。
【００３４】
図４に示されるように、制御装置３４はＳ３１で前回の処理で設定された種別や予定供給量などの各種変数をクリアする。次のＳ３２では、軽油(液種１)と尿素水(液種２)との供給比率（割合）ａをメモリ３９から読み込んでセットする。
【００３５】
続いて、Ｓ３３に進み、指定金額Ｃ（購入金額）が入力装置４０ａにより入力されたか否かをチェックする。このＳ３３において、指定金額Ｃが入力された場合には（Ｓ３３でＹＥＳの場合）、Ｓ３４に進み、指定金額Ｃをメモリ３９に記憶させると共に、メモリ３９に予め記憶された各液単価（軽油１リットル当たりの金額Ａ,尿素水１リットル当たりの金額Ｂ）を読み込む（請求項２の予定購入金額設定手段）。
【００３６】
続いて、Ｓ３５では、供給比率（割合）ａと軽油及び尿素水の単価Ａ，Ｂにより金額での供給比率ｂを算出する。例えば、供給比率ｂは、ｂ＝ａ・Ａ／Ｂにより求まる。次のＳ３６では、上記金額での供給比率ｂを用いて指定金額Ｃを軽油の供給可能金額Ｙ１と尿素水の供給可能金額Ｙ２とに振り分ける。例えば、軽油の供給可能金額Ｙ１は、演算式Ｙ１＝Ｃ{ｂ／（ｂ＋１）}、尿素水の供給可能金額Ｙ２は、演算式Ｙ２＝Ｃ{１／（ｂ＋１）}により求まる。
【００３７】
次のＳ３７では、第１の液体供給系統２０Ａの金額目標値（プリセット値）Ｗ１にＹ１をセットし、第２の液体供給系統２０Ｂの金額目標値（プリセット値）Ｗ２にＹ２をセットする（請求項２のプリセット値設定手段）。そして、図５のＳ３８に進み、液体供給系統２０Ａ，２０Ｂの制御部３４Ａ，３４Ｂは、ポンプ２４Ａ，２４Ｂを起動させると共に電磁弁２８Ａ，２８Ｂを開弁して夫々供給量目標値Ｗ１，Ｗ２をプリセット値として液体供給系統２０Ａ，２０Ｂのプリセット制御を開始する。そのため、操作者が供給ノズル３２Ａ，３２Ｂを軽油用タンク４２の供給口４２ａ、尿素水用タンク４４の供給口４４ａに挿入してノズルレバーを開弁操作すると、ポンプ２４Ａ，２４Ｂにより送液された軽油、尿素水が軽油用タンク４２、尿素水用タンク４４に供給される。
【００３８】
次のＳ３９では、第１の液体供給系統２０Ａの状態フラグｆ１をｆ１＝１、及び第２の液体供給系統２０Ｂの状態フラグｆ２をｆ２＝１にセットする。続いて、Ｓ４０に進み、軽油の供給量金額ｄ１が金額目標値Ｗ１に到達したか否かをチェックする。Ｓ４０において、軽油の供給量金額ｄ１が金額目標値Ｗ１に到達したときは（Ｓ４０でＹＥＳの場合）、Ｓ４１に進み、ポンプ２４Ａを停止して軽油の供給を一時停止すると共に、第１の液体供給系統２０Ａの状態フラグｆ１をｆ１＝２(一時停止を意味する)にセットする。
【００３９】
続いて、Ｓ４２では、尿素水の状態フラグがｆ２＝１か否かをチェックする。Ｓ４２において、尿素水の状態フラグがｆ２＝１ではない場合（Ｓ４２でＮＯの場合）、Ｓ４３に進み、釣銭ｅを算出する。尚、釣銭ｅは、演算式ｅ＝Ｃ−（ｄ１＋ｄ２）により求まる。
【００４０】
続いて、Ｓ４４に進み、釣銭がゼロか否かをチェックする。Ｓ４４において、釣銭ｅが無い場合は（Ｓ４４でＮＯの場合）、Ｓ４５に進み、軽油を供給する第１の液体供給系統２０Ａの金額目標値Ｗ１をセットし直す。すなわち、金額目標値Ｗ１に釣銭ｅを加算して新たなＷ１を金額目標値としてセットする。そして、Ｓ４６でポンプ２４Ａを起動して軽油の供給を再開する。
【００４１】
また、上記Ｓ４０において、軽油の供給量金額ｄ１が金額目標値Ｗ１に到達していない場合（Ｓ４０でＮＯの場合）、またはＳ４２において、尿素水の状態フラグがｆ２＝１の場合、またはＳ４４において、釣銭ｅが有る場合は（Ｓ４４でＹＥＳの場合）、Ｓ４７に進む。Ｓ４７では、第１の液体供給系統２０Ａの供給終了スイッチ（図示せず）がオンに操作されたか否かをチェックする。
【００４２】
Ｓ４７において、第１の液体供給系統２０Ａの供給終了スイッチ（図示せず）がオンに操作されたときは（Ｓ４７でＹＥＳの場合）、Ｓ４８に進み、状態フラグｆ１をｆ１＝３（供給終了を意味する）にセットする。続いて、Ｓ４９では、尿素水を供給する第２の液体供給系統２０Ｂの状態フラグｆ２がｆ２＝３（供給終了を意味する）か否かをチェックする。
【００４３】
Ｓ４９において、第２の液体供給系統２０Ｂの状態フラグｆ２がｆ２＝３では無い場合（Ｓ４９でＮＯの場合）、あるいは上記Ｓ４７において、第１の液体供給系統２０Ａの供給終了スイッチ（図示せず）がオフの場合には、図６に示すＳ５０に進む。また、Ｓ４９において、第２の液体供給系統２０Ｂの状態フラグｆ２がｆ２＝３である場合（Ｓ４９でＹＥＳの場合）、後述するＳ６０に進む。
【００４４】
Ｓ５０では、尿素水の供給量金額ｄ２が金額目標値Ｗ２に到達したか否かをチェックする。Ｓ５０において、尿素水の供給量金額ｄ２が金額目標値Ｗ２に到達したときは（Ｓ５０でＹＥＳの場合）、Ｓ５１に進み、ポンプ２４Ｂを停止して尿素水の供給を一時停止すると共に、第２の液体供給系統２０Ｂの状態フラグｆ２をｆ２＝２(一時停止を意味する)にセットする。
【００４５】
続いて、Ｓ５２では、軽油の状態フラグがｆ１＝１か否かをチェックする。Ｓ５２において、軽油の状態フラグがｆ１＝１である場合（Ｓ５２でＹＥＳの場合）、Ｓ５３に進み、釣銭ｅを算出する。尚、釣銭ｅは、演算式ｅ＝Ｃ−（ｄ１＋ｄ２）により求まる。
【００４６】
続いて、Ｓ５４に進み、釣銭がゼロか否かをチェックする。Ｓ５４において、釣銭ｅが有る場合は（Ｓ５４でＹＥＳの場合）、Ｓ５５に進み、尿素水を供給する第２の液体供給系統２０Ｂの金額目標値Ｗ２をセットし直す。すなわち、金額目標値Ｗ２に釣銭ｅを加算して新たなＷ２を金額目標値としてセットする。そして、Ｓ５６でポンプ２４Ｂを起動して尿素水の供給を再開する。
【００４７】
また、上記Ｓ５０において、尿素水の供給量金額ｄ２が金額目標値Ｗ２に到達していない場合（Ｓ５０でＮＯの場合）、またはＳ５２において、軽油の状態フラグがｆ１＝１でない場合（Ｓ５２でＮＯの場合）、またはＳ５４において、釣銭ｅが無い場合（Ｓ５４でＮＯの場合）は、Ｓ５７に進む。Ｓ５７では、第２の液体供給系統２０Ｂの供給終了スイッチ（図示せず）がオンに操作されたか否かをチェックする。
【００４８】
Ｓ５７において、第２の液体供給系統２０Ｂの供給終了スイッチ（図示せず）がオンに操作されたときは、Ｓ５８に進み、状態フラグｆ２をｆ２＝３（供給終了を意味する）にセットする。続いて、Ｓ５９では、軽油を供給する第１の液体供給系統２０Ａの状態フラグｆ１がｆ１＝３（供給終了を意味する）か否かをチェックする。
【００４９】
Ｓ５９において、第１の液体供給系統２０Ａの状態フラグｆ１がｆ１＝３である場合（Ｓ５９でＮＯの場合）、あるいは上記Ｓ５７において、第２の液体供給系統２０Ｂの供給終了スイッチ（図示せず）がオフの場合（Ｓ５７でＮＯの場合）には、図５に示すＳ４０に戻り、Ｓ４０以降の処理を繰り返す。また、Ｓ５９において、第１の液体供給系統２０Ａの状態フラグｆ１がｆ１＝３でない場合（Ｓ５９でＮＯの場合）、Ｓ６０に進む。
【００５０】
Ｓ６０では、釣銭ｅを算出し、入出金機４０ｂより釣銭ｅを返金する。そして、Ｓ６１でポンプ２４Ａ，２４Ｂを停止させると共に電磁弁２８Ａ，２８Ｂを閉弁して、軽油及び尿素水の供給を停止する。
【００５１】
このように、本実施例では、軽油と尿素水の購入金額を入力することにより、軽油及び尿素水の予定供給量を所定の割合で演算して自動的にプリセットするため、操作者が各プリセット値を個別に入力操作する必要がなく、その分操作の手間が簡略化されると共に、操作ミスによる誤入力を防止することが可能になる。
【００５２】
尚、上記図４乃至図６の制御処理を制御装置３４が実行するものとして説明したが、これに限らず、例えば、制御部３４Ａ，３４Ｂ及び統括制御部３４Ｃが夫々制御を分担して実行するようにしても良い。その場合、制御部３４Ａ，３４Ｂは、夫々個別にポンプ２４Ａ，２４Ｂ及び電磁弁２８Ａ，２８Ｂを制御する。
【００５３】
次に制御装置３４の制御部３４Ａ，３４Ｂが夫々実行する制御処理の変形例２（制御処理３）を図７、図８のフローチャートを参照して説明する。
【００５４】
図７に示されるように、制御部３４Ａは、Ｓ８０で供給ノズル３２Ａがノズル掛け３７Ａから外されたか否かをチェックする。Ｓ８０において、ノズルスイッチ３８Ａがオフになると、供給ノズル３２Ａがノズル掛け３７Ａから外されたものと判断し（Ｓ８０でＹＥＳの場合）、Ｓ８１に進み、ポンプ２４Ａを起動し、電磁弁２８Ａを開弁させる。
【００５５】
続いて、Ｓ８２では、流量計２６Ａより出力された流量パルスを積算して供給量を算出する。次のＳ８３では、供給ノズル３２Ａがノズル掛け３７Ａに戻されたか否かをチェックする。Ｓ８３において、ノズルスイッチ３８Ａがオンになると、供給ノズル３２Ａがノズル掛け３７Ａに戻されたものと判断し（Ｓ８３でＹＥＳの場合）、Ｓ８４に進み、ポンプ２４Ａを停止させる。
【００５６】
そして、軽油の供給量Ｑ１をメモリ３９に記憶させる。これで、第１の液体供給系統２０Ａによる軽油の供給が終了する。
【００５７】
図８に示す尿素水の制御処理では、制御部３４Ｂは、Ｓ９０で供給ノズル３２Ｂがノズル掛け３７Ｂから外されたか否かをチェックする。Ｓ９０において、ノズルスイッチ３８Ｂがオフになると、供給ノズル３２Ｂがノズル掛け３７Ｂから外されたものと判断し（Ｓ９０でＹＥＳの場合）、Ｓ９１に進み、供給ノズル３２Ａにより供給された軽油の供給量Ｑ１をメモリ３９から読み込む。
【００５８】
次のＳ９２では、軽油の供給量Ｑ１に対応する尿素水の予定供給量Ｑ２を予め決められた供給比率（割合）ａに基づいて演算する（供給量演算手段）。続いて、Ｓ９３に進み、予定供給量Ｑ２がゼロか否かをチェックする。
【００５９】
Ｓ９３において、予定供給量Ｑ２がゼロではない場合（即ち、尿素水の供給に先立って軽油の供給が行われていた場合（Ｓ９３でＮＯの場合））、Ｓ９４に進み、ポンプ２４Ｂを起動し、電磁弁２８Ｂを開弁させる。続いて、Ｓ９５に進み、流量計２６Ｂより出力された流量パルスを積算して計測供給量ＱＸを算出する。そして、Ｓ９６で計測供給量ＱＸが予定供給量Ｑ２に達したか否かをチェックする。なお、Ｓ９３において予定供給量Ｑ２がゼロであると判断された場合（Ｓ９３でＹＥＳの場合）には、これは、尿素水の供給に先立って行われる軽油の供給が行われてないことを示すものであるため、尿素水の供給を行わずに後述のＳ９９の処理に移行する。
【００６０】
Ｓ９６において、計測供給量ＱＸが予定供給量Ｑ２に達していない場合（Ｓ９６でＮＯの場合）、Ｓ９７に進み、供給ノズル３２Ｂがズル掛け３７Ｂから外されたか否かをチェックする。Ｓ９７において、ノズルスイッチ３８Ｂがオフの場合は、供給ノズル３２Ｂがズル掛け３７Ｂから外されていないので、上記Ｓ９５に戻り、Ｓ９５以降の処理を繰り返す。
【００６１】
また、上記Ｓ９６において、計測供給量ＱＸが予定供給量Ｑ２に達した場合（Ｓ９６でＹＥＳの場合）、あるいはＳ９７において、ノズルスイッチ３８Ｂがオンの場合は、供給ノズル３２Ｂがズル掛け３７Ｂに戻されているので（Ｓ９７でＹＥＳの場合）、Ｓ９８に進み、ポンプ２４Ａを停止させ、電磁弁２８Ｂを閉弁させる。
【００６２】
このように、本実施例では、軽油の供給量に応じて尿素水の予定供給量を所定の割合で演算して自動的にプリセットするため、操作者が各プリセット値を個別に入力操作する必要がなく、その分操作の手間が簡略化されると共に、操作ミスによる誤入力を防止することが可能になる。
【００６３】
尚、上記図７、図８の制御処理を制御部３４Ａ，３４Ｂが夫々実行するものとして説明したが、これに限らず、例えば、統括制御部３４Ｃで実行するようにしても良い。その場合、制御部３４Ａ，３４Ｂは、統括制御部３４Ｃの指示によりポンプ２４Ａ，２４Ｂ及び電磁弁２８Ａ，２８Ｂを制御する。
【産業上の利用可能性】
【００６４】
上記実施例では、軽油と尿素水を供給する場合を一例として挙げたが、これに限らず、例えば、ガソリン（第１の流体）とこれへの添加剤（第２の流体）との組み合わせなど、他の複数の流体（液体及び気体（例えば、水素ガスやＣＮＧなどのガス）を含む）を供給する場合にも本発明を適用できるのは勿論である。
【００６５】
また、上記実施例では、自動車に搭載された２種類のタンクの夫々に異なる液体を供給する場合を説明したが、自動車以外のものに設けられたタンクへの液体供給にも適用することができるのは言うまでもない。
【図面の簡単な説明】
【００６６】
【図１】本発明による流体供給装置の一実施例を示す構成図である。
【図２】軽油用タンクと尿素水用タンクが搭載された自動車の構成例を示す側面図である。
【図３】制御装置３４が実行する制御処理を説明するためのフローチャートである。
【図４】制御装置３４が実行する変形例１の制御処理を説明するためのフローチャートである。
【図５】図４の制御処理に続いて実行される制御処理を説明するためのフローチャートである。
【図６】図５の制御処理に続いて実行される制御処理を説明するためのフローチャートである。
【図７】制御装置３４が実行する変形例２の制御処理を説明するためのフローチャートである。
【図８】図７の制御処理に続いて実行される制御処理を説明するためのフローチャートである。
【符号の説明】
【００６７】
１０  液体供給装置
２０Ａ  第１の液体供給装置
２０Ｂ  第２の液体供給装置
２４Ａ，２４Ｂ  ポンプ
２６Ａ，２６Ｂ  流量計
２８Ａ，２８Ｂ  電磁弁
３２Ａ，３２Ｂ  供給ノズル
３４Ａ，３４Ｂ  制御部
３７Ａ，３７Ｂ  ノズル掛け
３８Ａ，３８Ｂ  ノズルスイッチ
４０  設定器
４０ａ  入力装置
４０ｂ  入出金機
４２  軽油用タンク
４４  尿素水用タンク
【図１】
2008081163.tif 000003
【図２】
2008081163.tif 000004
【図３】
2008081163.tif 000005
【図４】
2008081163.tif 000006
【図５】
2008081163.tif 000007
【図６】
2008081163.tif 000008
【図７】
2008081163.tif 000009
【図８】
2008081163.tif 000010